【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
交通機関の路線の路線情報と、上記交通機関の停留場所の位置情報を含む停留場所情報と、を対応付けて記憶する路線情報記憶手段と、
端末装置の現在位置情報を取得する現在位置情報取得手段と、
上記現在位置情報取得手段により取得された上記現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得手段と、
上記路線情報取得手段により取得された上記路線情報を含む路線案内情報を出力部を介して出力させる路線案内情報出力手段と、
を備えたことを特徴とする、ナビゲーションシステム。
【請求項２】
請求項１に記載のナビゲーションシステムにおいて、
上記ナビゲーションシステムは、
上記端末装置の方位を取得する方位取得手段、
を更に備え、
上記路線情報取得手段は、
上記現在位置情報に対応する上記路線情報記憶手段に記憶された上記停留場所情報を特定し、上記路線情報記憶手段から当該停留場所情報および上記方位取得手段により取得された上記方位に対応する上記路線情報を取得することを特徴とする、ナビゲーションシステム。
【請求項３】
請求項２に記載のナビゲーションシステムにおいて、
上記路線案内情報は、
上記現在位置情報に基づく上記端末装置の現在位置に対応する上記停留場所から進行方向前方の所定数の上記停留場所に関する上記路線情報を含むことを特徴とする、ナビゲーションシステム。
【請求項４】
請求項２または３に記載のナビゲーションシステムにおいて、
上記停留場所情報は、
上記停留場所の形状情報を含み、
上記路線案内情報出力手段は、
更に、上記現在位置情報取得手段により取得された上記現在位置情報、および、上記方位取得手段により取得された上記方位と、上記形状情報と、を対応付けた表示画面を表示部に表示させることを特徴とする、ナビゲーションシステム。
【請求項５】
請求項２または３に記載のナビゲーションシステムにおいて、
上記ナビゲーションシステムは、
地図の地図情報を記憶する地図情報記憶手段、
を更に備え、
上記路線案内情報出力手段は、
上記地図情報記憶手段に記憶された地図情報上に、上記現在位置情報取得手段により取得された上記現在位置情報、および、上記方位取得手段により取得された上記方位を重畳し、更に、上記路線情報取得手段により取得された上記路線情報を含む上記路線案内情報を重畳した表示画面を上記表示部に表示させることを特徴とする、ナビゲーションシステム。
【請求項６】
請求項１乃至５のいずれか一つに記載のナビゲーションシステムにおいて、
上記ナビゲーションシステムは、
上記交通機関の運行情報を含む交通情報を記憶する交通情報記憶手段と、
現在時刻を取得する時刻取得手段と、
を更に備え、
上記路線情報取得手段は、
更に、上記交通情報記憶手段に記憶された上記運行情報に基づき、上記時刻取得手段により取得された上記現在時刻または所定時刻以降で最も早く乗車可能な上記交通機関の上記路線の上記路線情報を取得することを特徴とする、ナビゲーションシステム。
【請求項７】
請求項６に記載のナビゲーションシステムにおいて、
上記ナビゲーションシステムは、
案内経路に関する経路情報を少なくとも含む経路案内情報を上記出力部を介して出力させることにより、経路案内を実行する経路案内情報出力手段、
を更に備え、
上記路線案内情報は、
上記経路案内情報出力手段による上記経路案内実行中に、上記路線情報取得手段により上記案内経路に含まれない区間の上記路線情報が取得された場合、実行中の上記経路案内に従う場合乗車してはいけない旨の案内表示を更に含み、上記路線情報取得手段により上記案内経路に含まれる区間の上記路線情報が取得された場合、乗車可能である旨の案内表示を更に含むことを特徴とする、ナビゲーションシステム。
【請求項８】
請求項１乃至７のいずれか一つに記載のナビゲーションシステムにおいて、
上記路線情報は、
上記交通機関の属性情報を含み、
上記路線案内情報は、
上記路線情報取得手段により取得された上記路線情報に含まれる上記属性情報に応じて、当該路線情報に基づく上記交通機関が停車する上記停留場所に関する上記路線情報を含むことを特徴とする、ナビゲーションシステム。
【請求項９】
請求項１乃至８のいずれか一つに記載のナビゲーションシステムにおいて、
上記路線案内情報は、
上記路線情報取得手段により複数の上記路線情報が取得された場合、入力部を介して選択された上記路線情報を含むことを特徴とする、ナビゲーションシステム。
【請求項１０】
制御部と記憶部とを少なくとも備えたナビゲーションサーバ、および、出力部と制御部とを少なくとも備えた端末装置、を通信可能に接続したナビゲーションシステムであって、
上記ナビゲーションサーバの上記記憶部は、
交通機関の路線の路線情報と、上記交通機関の停留場所の位置情報を含む停留場所情報と、を対応付けて記憶する路線情報記憶手段、
を備え、
上記ナビゲーションサーバの上記制御部は、
上記端末装置から送信される上記端末装置の現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得手段と、
上記路線情報取得手段により取得された上記路線情報を含む路線案内情報を上記端末装置に送信する路線案内情報送信手段と、
を備え、
上記端末装置の上記制御部は、
上記端末装置の現在位置情報を取得する現在位置情報取得手段と、
上記ナビゲーションサーバから送信される上記路線案内情報を受信する路線案内情報受信手段と、
上記路線案内情報を上記出力部を介して出力させる路線案内情報出力手段と、
を備えたことを特徴とする、ナビゲーションシステム。
【請求項１１】
出力部と制御部と記憶部とを少なくとも備えたナビゲーション装置であって、
上記記憶部は、
交通機関の路線の路線情報と、上記交通機関の停留場所の位置情報を含む停留場所情報と、を対応付けて記憶する路線情報記憶手段、
を備え、
上記制御部は、
上記ナビゲーション装置の現在位置情報を取得する現在位置情報取得手段と、
上記現在位置情報取得手段により取得された上記現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得手段と、
上記路線情報取得手段により取得された上記路線情報を含む路線案内情報を上記出力部を介して出力させる路線案内情報出力手段と、
を備えたことを特徴とする、ナビゲーション装置。
【請求項１２】
出力部を少なくとも備えた端末装置に通信可能に接続された、制御部と記憶部とを少なくとも備えたナビゲーションサーバであって、
上記記憶部は、
交通機関の路線の路線情報と、上記交通機関の停留場所の位置情報を含む停留場所情報と、を対応付けて記憶する路線情報記憶手段、
を備え、
上記制御部は、
上記端末装置の現在位置情報を取得する現在位置情報取得手段と、
上記現在位置情報取得手段により取得された上記現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得手段と、
上記路線情報取得手段により取得された上記路線情報を含む路線案内情報に基づく表示画面を生成する表示画面生成手段と、
上記表示画面を含む出力制御情報を上記端末装置へ送信することにより、当該端末装置の上記出力部を介して当該出力制御情報を出力させる出力制御手段と、
を備えたことを特徴とする、ナビゲーションサーバ。
【請求項１３】
出力部と制御部と記憶部とを少なくとも備えたナビゲーション装置において実行されるナビゲーション方法であって、
上記記憶部は、
交通機関の路線の路線情報と、上記交通機関の停留場所の位置情報を含む停留場所情報と、を対応付けて記憶する路線情報記憶手段、
を備え、
上記制御部において実行される、
上記ナビゲーション装置の現在位置情報を取得する現在位置情報取得ステップと、
上記現在位置情報取得ステップにて取得された上記現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得ステップと、
上記路線情報取得ステップにて取得された上記路線情報を含む路線案内情報を上記出力部を介して出力させる路線案内情報出力ステップと、
を含むことを特徴とする、ナビゲーション方法。
【請求項１４】
ナビゲーションシステムにおいて実行されるナビゲーション方法であって、
上記ナビゲーションシステムは、
交通機関の路線の路線情報と、上記交通機関の停留場所の位置情報を含む停留場所情報と、を対応付けて記憶する路線情報記憶手段と、現在位置情報取得手段と、路線情報取得手段と、路線案内情報出力手段と、
を備え、
上記現在位置情報取得手段が、端末装置の現在位置情報を取得する現在位置情報取得ステップと、
上記路線情報取得手段が、上記現在位置情報取得ステップにて取得された上記現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得ステップと、
上記路線案内情報出力手段が、上記路線情報取得ステップにて取得された上記路線情報を含む路線案内情報を出力部を介して出力させる路線案内情報出力ステップと、
を含むことを特徴とする、ナビゲーション方法。
【請求項１５】
制御部と記憶部とを少なくとも備えたナビゲーションサーバ、および、出力部と制御部とを少なくとも備えた端末装置、を通信可能に接続したナビゲーションシステムにおいて実行されるナビゲーション方法であって、
上記ナビゲーションサーバの上記記憶部は、
交通機関の路線の路線情報と、上記交通機関の停留場所の位置情報を含む停留場所情報と、を対応付けて記憶する路線情報記憶手段、
を備え、
上記端末装置の上記制御部において実行される、上記端末装置の現在位置情報を取得する現在位置情報取得ステップと、
上記ナビゲーションサーバの上記制御部において実行される、上記端末装置から送信される上記端末装置の現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得ステップと、
上記ナビゲーションサーバの上記制御部において実行される、上記路線情報取得ステップにて取得された上記路線情報を含む路線案内情報を上記端末装置に送信する路線案内情報送信ステップと、
上記端末装置の上記制御部において実行される、上記ナビゲーションサーバから送信される上記路線案内情報を受信する路線案内情報受信ステップと、
上記端末装置の上記制御部において実行される、上記路線案内情報を上記出力部を介して出力させる路線案内情報出力ステップと、
を含むことを特徴とする、ナビゲーション方法。
【請求項１６】
出力部を少なくとも備えた端末装置に通信可能に接続された、制御部と記憶部とを少なくとも備えたナビゲーションサーバにおいて実行されるナビゲーション方法であって、
上記記憶部は、
交通機関の路線の路線情報と、上記交通機関の停留場所の位置情報を含む停留場所情報と、を対応付けて記憶する路線情報記憶手段、
を備え、
上記制御部において実行される、
上記端末装置の現在位置情報を取得する現在位置情報取得ステップと、
上記現在位置情報取得ステップにて取得された上記現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得ステップと、
上記路線情報取得ステップにて取得された上記路線情報を含む路線案内情報に基づく表示画面を生成する表示画面生成ステップと、
上記表示画面を含む出力制御情報を上記端末装置へ送信することにより、当該端末装置の上記出力部を介して当該出力制御情報を出力させる出力制御ステップと、
を含むことを特徴とする、ナビゲーション方法。
【請求項１７】
出力部と制御部と記憶部とを少なくとも備えたナビゲーション装置に実行させるためのプログラムであって、
上記記憶部は、
交通機関の路線の路線情報と、上記交通機関の停留場所の位置情報を含む停留場所情報と、を対応付けて記憶する路線情報記憶手段、
を備え、
上記制御部において、
上記ナビゲーション装置の現在位置情報を取得する現在位置情報取得ステップと、
上記現在位置情報取得ステップにて取得された上記現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得ステップと、
上記路線情報取得ステップにて取得された上記路線情報を含む路線案内情報を上記出力部を介して出力させる路線案内情報出力ステップと、
を実行させるためのプログラム。
【請求項１８】
端末装置に通信可能に接続された、制御部と記憶部とを少なくとも備えたナビゲーションサーバに実行させるためのプログラムであって、
上記記憶部は、
交通機関の路線の路線情報と、上記交通機関の停留場所の位置情報を含む停留場所情報と、を対応付けて記憶する路線情報記憶手段、
を備え、
上記制御部において、
上記端末装置から送信される上記端末装置の現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得ステップと、
上記路線情報取得ステップにて取得された上記路線情報を含む路線案内情報を上記端末装置に送信する路線案内情報送信ステップと、
を実行させるためのプログラム。
【請求項１９】
出力部を少なくとも備えた端末装置に通信可能に接続された、制御部と記憶部とを少なくとも備えたナビゲーションサーバに実行させるためのプログラムであって、
上記記憶部は、
交通機関の路線の路線情報と、上記交通機関の停留場所の位置情報を含む停留場所情報と、を対応付けて記憶する路線情報記憶手段、
を備え、
上記制御部において、
上記端末装置の現在位置情報を取得する現在位置情報取得ステップと、
上記現在位置情報取得ステップにて取得された上記現在位置情報に対応する、上記路線情報記憶手段に記憶された上記停留場所情報を特定し、上記路線情報記憶手段から当該停留場所情報に対応する案内対象の上記路線の上記路線情報を取得する路線情報取得ステップと、
上記路線情報取得ステップにて取得された上記路線情報を含む路線案内情報に基づく表示画面を生成する表示画面生成ステップと、
上記表示画面を含む出力制御情報を上記端末装置へ送信することにより、当該端末装置の上記出力部を介して当該出力制御情報を出力させる出力制御ステップと、
を実行させるためのプログラム。